(57)【要約】【課題】確実に干渉縞の発生を抑制し、ディスプレイ面から浅い角度からも干渉縞が見えないようにすることができる導光ユニット、光学シート、バックライト装置及び電子機器を提供すること。【解決手段】複数の光学シート３は、例えば、導光板２の裏側に配置された反射シート８、導光板２の表面（光の出射面２ｂ）２ｂ側に配置された２枚の拡散シート（下拡散シート１７及び上拡散シート１６）、これらの拡散シート１６、１７の間に配置されたプリズムシート１８を含む。例えば、下拡散シート１７の平坦な下面１７ａに対面する、導光板２の上面２ｂが非平坦面とされている。特に、その非平坦面２ｂは、算術平均粗さRa及び平均ピッチPを用いて、０＜(P／Ra)＜１．０２×１０4に設定されている。【選択図】図２
2009217949.tif 000002
【特許請求の範囲】
【請求項１】
光源からの光が入射される導光板であって、
前記入射された光を導く導光部と、
前記導光部を通る前記光を出射させ、算術平均粗さRa及び平均ピッチPの関係が、０＜(P／Ra)＜１．０２×１０4である出射面と
を具備する導光板。
【請求項２】
請求項１に記載の導光板であって、
前記出射面は、エンボス加工による突起を有する導光板。
【請求項３】
請求項２に記載の導光板であって、
前記突起の高さは、１０〜５０μmである導光板。
【請求項４】
請求項１に記載の導光板であって、
前記出射面は、ブラスト加工された面である導光板。
【請求項５】
光源からの光に所定の光学的機能を作用させる光学シートであって、
前記光が入射される入射面と、
前記入射された光を出射させ、算術平均粗さRa及び平均ピッチPの関係が、０＜(P／Ra)＜１．０２×１０4である出射面と
を具備する光学シート。
【請求項６】
光源からの光に所定の光学的機能を作用させる光学シートであって、
算術平均粗さRa及び平均ピッチPの関係が、０＜(P／Ra)＜１．０２×１０4である入射面と、
前記入射された光を出射させる出射面と
を具備する光学シート。
【請求項７】
光源と、
算術平均粗さRa及び平均ピッチPの関係が、０＜(P／Ra)＜１．０２×１０4である光学面を有する板状の光学部材を含み、前記光源からの光を面状に拡散させる導光ユニットと
を具備するバックライト装置。
【請求項８】
請求項７に記載のバックライト装置であって、
前記導光ユニットは、前記光学部材として、
前記光学面を有する第１の光学部材と、
前記第１の光学部材に隣接し、前記光学面に対面する、平坦面、または規則的な光学パターン面を有する第２の光学部材と
を含むバックライト装置。
【請求項９】
光源と、算術平均粗さRa及び平均ピッチPの関係が、０＜(P／Ra)＜１．０２×１０4である面を有する板状の光学部材を含み、前記光源からの光を面状に拡散させる導光ユニットとを有するバックライト装置と、
複数の画素を有し、前記バックライト装置から出射された前記光の透過率を前記画素ごとに制御する光透過率制御パネルと
を具備する電子機器。
【発明の詳細な説明】
【技術分野】
【０００１】
本発明は、例えば液晶ディスプレイ等に用いられる導光板、光学シート、バックライト装置及び電子機器に関する。
【背景技術】
【０００２】
液晶ディスプレイで用いられるバックライトは、一般的に、光源と、光源からの光を液晶パネルに導く導光ユニットとを備えている。導光ユニットは、例えば導光シート及び複数の光学シート等を有する。導光シートは、光源からの光を所定の方向に導く機能を有する。光学シートは、導光シートからの光をディスプレイの正面側に配向させるプリズムシート、あるいは、均一に拡散させたりする拡散シート等を含む。
【０００３】
例えば導光シートの正面側の主面となる表面が平坦であり、その導光シートの表面に接触する拡散シートの裏面が平坦である場合、それらの平坦面間では光の干渉が起きやすく、干渉縞が発生しやすい。この干渉縞は、拡散シートの表面側の凹凸やブラスト面により、見た目では緩和される。
【０００４】
ここで、対向する光学シートの一方の面が非平坦に形成されたバックライトが開示されている（例えば、特許文献１参照。）。具体的には、光学シートの一面にエンボスが形成されることで、２枚の光学シートが互いに貼り付き、シートカール現象が抑えられる、とある。
【０００５】
【特許文献１】特開２００２−２５１９０８号公報（段落[００４６]、[００４７]、図５等）
【発明の開示】
【発明が解決しようとする課題】
【０００６】
しかしながら、単に光学シートの表面にエンボスが設けられるだけでは、干渉縞が除去しきれない場合がある。例えば、その干渉縞による光が液晶パネルを通過すると、液晶パネルが持つ構造の規則性と、干渉縞の規則性とにより、導光ユニット自身が発生する干渉縞が強調される現象が起こる。
【０００７】
例えば、テレビジョン放送等を受信する受信機を備えたディスプレイ装置（ＴＶ）では、ユーザは広い角度からディスプレイを見る場合があり、つまり、ユーザはディスプレイ面に対して浅い角度（表示面からの角度が小さい角度）でディスプレイを見る場合もある。このような場合、干渉縞は強調されるので、拡散シートや、単に光学シートの表面にエンボスが設けられるだけでは、干渉縞は除去しきれない。
【０００８】
以上のような事情に鑑み、本発明の目的は、確実に干渉縞の発生を抑制し、ディスプレイ面から浅い角度からも干渉縞が見えないようにすることができる導光ユニット、光学シート、バックライト装置及び電子機器を提供することにある。
【課題を解決するための手段】
【０００９】
上記目的を達成するため、本発明に係る導光板は、光源からの光が入射される導光板であって、前記入射された光を導く導光部と、前記導光部を通る前記光を出射させ、算術平均粗さRa及び平均ピッチPの関係が、０＜(P／Ra)＜１．０２×１０4である出射面とを具備する。
【００１０】
このような出射面を有する導光板が用いられることにより、例えばその導光板の出射面と、その出射面に接触する他の光学シートとの間で発生する、可視光の干渉縞の計算上のピッチが０．５mmより小さくなる。したがって、人の視力では実質的にその干渉縞が見ることができなくなり、干渉縞が発生していなことと等しくなる。これにより、例えばディスプレイ面から浅い角度からも干渉縞が見えないようにすることができる。
【００１１】
例えば、前記出射面は、エンボス加工による突起を有する。突起の高さは、１０〜５０μmである。突起の高さが１０μmより低いと、可視光の可干渉性による影響があるからである。突起の高さが５０μmを超えると、突起の大きさ（導光板の出射面に平行な面内での大きさまたは径等）を大きくする必要があるため、突起が人の眼に見えるようになってしまうからである。
【００１２】
あるいは、前記出射面は、ブラスト加工された面であってもよい。
【００１３】
本発明に係る光学シートは、光源からの光に所定の光学的機能を作用させる光学シートであって、前記光が入射される入射面と、前記入射された光を出射させ、算術平均粗さRa及び平均ピッチPの関係が、０＜(P／Ra)＜１．０２×１０4である出射面とを具備する。
【００１４】
あるいは、光学シートは、算術平均粗さRa及び平均ピッチPの関係が、０＜(P／Ra)＜１．０２×１０4である入射面と、前記入射された光を出射させる出射面とを具備していてもよい。
【００１５】
本発明に係るバックライト装置は、光源と、算術平均粗さRa及び平均ピッチPの関係が、０＜(P／Ra)＜１．０２×１０4である光学面を有するシート状の光学部材を含み、前記光源からの光を面状に拡散させる導光ユニットとを具備する。
【００１６】
例えば、前記導光ユニットは、前記光学部材として、前記光学面を有する第１の光学部材と、前記第１の光学部材に隣接し、前記光学面に対面する、平坦面、または規則的な光学パターン面を有する第２の光学部材とを含んでいてもよい。
【００１７】
本発明に係る電子機器は、光源と、算術平均粗さRa及び平均ピッチPの関係が、０＜(P／Ra)＜１．０２×１０4である面を有するシート状の光学部材を含み、前記光源からの光を面状に拡散させる導光ユニットとを有するバックライト装置と、複数の画素を有し、前記バックライト装置から出射された前記光の透過率を前記画素ごとに制御する光透過率制御パネルとを具備する。
【発明の効果】
【００１８】
以上のように、本発明によれば、確実に干渉縞の発生を抑制し、ディスプレイ面から浅い角度からも干渉縞が見えないようにすることができる。
【発明を実施するための最良の形態】
【００１９】
以下、本発明の実施の形態を図面を参照しながら説明する。
【００２０】
図１は、本発明の一実施の形態に係るバックライト装置を示す模式的な分解斜視図である。図２は、図１に示したバックライト装置１０及び光透過率制御パネル９を備えたディスプレイを示す模式的な断面図である。
【００２１】
バックライト装置１０は、光源ユニット５と、光源から発せられた光を面状に拡散させる導光ユニット６とを備える。導光ユニット６により均一な輝度の出射光２９が得られる。導光ユニット６は、光源ユニット５からの光に所定の光学的機能を作用させる複数のシート状の光学部材を備える。例えば、これらシート状の光学部材は、例えば光源ユニット５からの光を導く導光板２と、複数の光学シート３（図２参照）とを含む。光源ユニット５は、導光板２の両側面２ｃに配置されている。
【００２２】
本実施の形態では、光源ユニット５の光源として陰極管（例えば蛍光管）７が用いられている。陰極管７は、導光板２の両側にそれぞれ２本ずつ設けられているが、その本数は限られない。あるいは、陰極管７は、導光板２の片側に１本または複数本設けられていてもよい。
【００２３】
導光板２の材料としては、ガラス、透明樹脂、その他の一般的なものが用いられる。
【００２４】
光源ユニット５は、陰極管７の周囲に設けられたリフレクタ１１を有する。リフレクタ１１は、陰極管７から発せられた光を反射し、反射した光を導光板２の側面に効率良く入射させる。リフレクタ１１の断面の形状は、四角形の一部であってもよいし、例えば円の一部や双曲線等の曲線であってもよい。
【００２５】
光透過率制御パネル９としては、典型的には液晶パネルが挙げられる。図２では、液晶パネルの構造を示した。しかし、画素ごとにバックライト装置１０の光透過率を可変に制御するパネルであれば、何でもよい。液晶パネルは、液晶２４、ガラス基板２１、カラーフィルタ２３、偏光板２２等を備える。
【００２６】
複数の光学シート３は、例えば、導光板２の裏側に配置された反射シート８、導光板２の表面（光の出射面）２ｂ側に配置された２枚の拡散シート（下拡散シート１７及び上拡散シート１６）、これらの拡散シート１６、１７の間に配置されたプリズムシート１８を含む。光学シート３としては、位相差シート、保護シート等、他の公知のシートが設けられていてもよいし、例えば上拡散シート１６が保護シートとして機能してもよい。これらの光学シート３の形状、配置等、適宜変更可能である。
【００２７】
以下、図１及び図２において、便宜的に、光透過率制御パネル９側を上側とし、反射シート８側を下側とする。
【００２８】
下拡散シート１７は、導光板２の出射面２ｂから出射された光の分布を平坦化し、また、プリズムシート１８に入射される光の方向を多少制御することにより、プリズムシート１８の光学的機能を促進させる。プリズムシート１８は、下拡散シート１７から出射された光（全方向の光が多い。）を上方向に集光させる機能を有する。上拡散シート１６は、プリズムシート１８の上面に設けられた規則的な凹凸と、光透過率制御パネル９が持つ格子ピッチとが起こす干渉縞（モアレ）を防止したり、プリズムシート１８を保護したりする機能を有する。あるいは、上拡散シート１６は、上方向に集められた光を多少拡散させることで、ユーザがディスプレイに対して横方向からも画像を見ることができるようにする機能を有する。
【００２９】
図３は、導光板２、下拡散シート１７及びプリズムシート１８を示す拡大断面図である。これらの光学部材２、１６〜１８の各主面２ａ、２ｂ、１６ａ、１６ｂ、１７ａ、１７ｂ、１８ａ、１８ｂのうち、対面する２つの面のうち少なくとも一方は、非平坦に形成されている。
【００３０】
例えば、本実施の形態では、下拡散シート１７の平坦な下面１７ａに対面する、導光板２の上面２ｂが非平坦面とされている。また、プリズムシート１８の上面に形成されたプリズム部（規則的な光学パターン面）１８ｂに対面する、上拡散シート１６の下面１６ａは非平坦に形成されている。下拡散シート１７及び上拡散シート１６のそれぞれの上面１７ｂ及び１６ｂは、それらの本来の機能を発揮するために、拡散面（非平坦面）とされている。
【００３１】
このように、本実施の形態では、平坦面同士が対面しないようにすることで、干渉縞の発生を抑えることができる。
【００３２】
以下、干渉縞が発生する原因について述べる。
【００３３】
図４は、対面する面同士が平坦面である場合を示す、導光板及び光学シートの拡大図である。この例では、導光板１０２の上面である光の出射面１０２ｂと、下拡散シート１７の下面１７ａとが対面し、これら出射面１０２ｂ及び下面１７ａは平坦面でなる。また、プリズムシート１８の上面であるプリズム部１８ｂと、上拡散シート１１６の下面１１６ａとが対面する。
【００３４】
ここで、図４に示した導光板１０２及び下拡散シート１７に着目する。図５（Ａ）は、その導光板１０２及び下拡散シート１７により干渉縞が発生した状態を示す図である。図５（Ｂ）に示すように、下拡散シート１７の平坦面１７ａと、導光板２の平坦面１０２ｂとが接触すると、図５（Ａ）に示すような干渉縞３０が発生する。
【００３５】
図６は、その干渉縞３０の発生原理を説明するための模式図である。平坦面同士が接触すると、その接触点の近傍で光の波長の数倍程度の隙間が、両平坦面の間に発生する。この場合、図示したように光の透過と反射が起きる。例えば、隙間が光の波長の１／４程度の場合、反射して人の目に届く光３１ａは、１／４波長の隙間を２回通るので、その光路は、反射しないで目に届く光３１ｂより半波長分長い。これは、反射して届く光３１ａの位相が反射しないで目に届く光３１ｂに対して逆位相となっていることを意味する。つまり、目は互いに逆位相の波を持った光を見ることになり、この光は互いに打ち消しあい、暗く見える。
【００３６】
隙間が波長の１／２程度の場合、光路差は１波長分となり、これらの光３１ｃ及び３１ｄは加算されて明るく見える。つまり、隙間が波長の１／４増えるごとに明るい部分と暗い部分が生じ、干渉縞３０が見えることになる。この縞はニュートンリングとも呼ばれる。
【００３７】
可視光の波長は、３８０〜７８０nmの帯域を持っているが、上記干渉縞３０を考える際には、中心波長の５５０nmとして考えることができる。すなわち、５５０nmの数倍程度の隙間が干渉縞３０を生じさせている。
【００３８】
この隙間がさらに大きくなると、反射して光３１ａ、３１ｃと、反射しない光３１ｂ、３１ｄの間での可干渉性が無くなる。可干渉性がなくなる隙間は、波長の１０〜３０倍程度と考えればよい。つまり、隙間が１５μm以上程度になると、干渉縞３０が見えなくなってくる。
【００３９】
一般に、この干渉縞３０は、拡散シート１６、１７の拡散性で散らされ、明確に縞模様として見えることは少ない。図７は、図５（Ａ）で示した干渉縞３０が発生している導光板１０２及び下拡散シート１７が組み込まれたバックライト（プリズムシート１８及び上拡散シート１１６もさらに組み込まれたバックライト）が点灯した状態を示す図である。図７に示すように、この場合、干渉縞３０が発生している部分で暗い部分３２が生じる。バックライトを正面から見ると、全体的に明るく、図７のような暗部３２はほとんど判別できない。しかし、バックライトの表面から浅い角度で見ると、例えば正面から６０〜７０°程度の角度から見ると、そのような暗部３２が見える。これらの暗部３２はフレアとも呼ばれる。
【００４０】
この暗部３２は液晶パネル９を通すと、より強調されて見える。その理由は、図５（Ａ）に示した干渉縞３０と液晶パネル９のカラーフィルタ２３（図２参照）等のパターンとで、別の干渉縞が発生し、その干渉縞がフレアを強調させている、と考えられる。
【００４１】
図４に示すように、プリズムシート１８のプリズム部１８ｂは、擬似的な平坦面と考えることができる。つまり、プリズム部１８ｂは平坦面ではないが、拡散面または非平坦面のようにランダムに荒れている面ではなく、規則的な光学パターンにより構成されている部位である。このようなプリズム部１８ｂでは、光の反射が規則的に生じるので、このプリズム部１８ｂと、上拡散シート１１６の平坦面１１６ａとが接触すると、干渉縞３０が発生してしまう。
【００４２】
これに対し、本実施の形態では、図２及び図３に示したように、平坦面同士が対面しないようにすることで、干渉縞の発生を抑えることができる。
【００４３】
特に、本実施の形態に係る導光板２及び上拡散シート１６の各非平坦面２ｂ及び１６ａは、算術平均粗さRa及び平均ピッチPの関係が、下の式（１）で表される。
【００４４】
０＜（P／Ra）＜１．０２×１０4・・・（１）。
【００４５】
以下、この式（１）について説明する。
【００４６】
図８は、表面粗さを持つ面２ｂが平坦面１７ａに接している様子を示す図である。図９は、図８において算術平均粗さRa及び平均ピッチPを用いて、上記式を幾何学的に説明するための図である。図８に示した突起２８は、図９の突起２８に対応しており、表面粗さを持つ面２ｂは、図９に示したように幾何学的に近似することができる。
【００４７】
干渉縞の暗部及び明部は、隙間がλ／２ごとに生じるので、そのピッチをFとし、三角形の相似より、F：（λ／２）＝（P／２）：２Raである。したがって、下記の式（２）が導かれる。
【００４８】
F＝Pλ /（８Ra）・・・（２）
λは５５０nmである。
【００４９】
図１０は、式（２）に基く、平均ピッチPと算術平均粗さRaの比（P／Ra）に対する、干渉縞のピッチFの長さの例を示す表である。この例では、Ra＝５μmの場合を示しているが、Raはこれに限られない。干渉縞が人の目に見えないようにするためには、干渉縞のピッチFを所定の長さより小さくする必要がある。そのためには、（P／Ra）が所定の大きさより小さくなればよい。
【００５０】
F＝０．７mm以下であれば、暗線（明線）と暗線（明線）との間隔が十分狭く、干渉縞は人の目にはほとんど見えなくなる。式（２）からF＝０．７mmのとき、P／Ra＝１．０２×１０4となる。F=０．５mmでは、P／Ra＝７．２７×１０3である。したがって、０＜(P／Ra)＜１．０２×１０4、あるいは、０＜(P／Ra)＜７．２７×１０3に設定されればよい。下拡散シート１７及び上拡散シート１６のそれぞれの上面１７ｂ及び１６ｂについても、同様にP／Raの数値範囲が設定されていてもよい。
【００５１】
非平坦面２ｂ及び１６ａは、例えばブラスト加工により形成されてもよい。あるいは、非平坦面２ｂ及び１６ａが金型成型により形成される場合、金型がブラスト処理により荒らされてもよい。
【００５２】
非平坦面２ｂ及び１６ａは、エンボス加工により、導光板２、上拡散シート１６のそれぞれの表面に突起が形成されることで構成されてもよい。図１４は、平坦な出射面１０２ｂを有する導光板２に対面する拡散シート（例えば下拡散シート）３７の下面が、エンボス加工された形態を示す図である。このエンボス加工により、拡散シート３７の下面には突起３７ａが形成されている。
【００５３】
エンボス加工により形成される突起３７ａの高さは、典型的には１０〜５０μmとされればよい。
【００５４】
突起３７ａの高さが１０μmより低いと、可視光の可干渉性による影響があるからである。可干渉距離Dは、D=λ2/Δλで求められる。λは、５５０nmであり、可視光の中心波長である。Δλは、システムで注目されるスペクトラムの幅であり、通常は人の目の中の錐体細胞の受光の帯域である。錐体細胞は網膜にある、色を感じる細胞で、赤、緑、青に感じる３種類がある。これらの感受する波長の幅、つまりバンド幅は１００nm程度である。つまり、D=５５０2／１００＝３０２５nm、つまり３μm程度である。これを境に可干渉性が崩れてくる。
【００５５】
ここでは、光としてスペクトラムの飛び出ていない白色光の場合を説明した。しかし、仮にスペクトラムの飛び出た光、例えば短波長のレーザ等の場合、Δλが小さくなり、可干渉距離も長くなる。例えば陰極管７の場合、スペクトラムの飛び出ているところに着目すると、Δλは小さくなり、可干渉距離は長くなる。それらを考慮しても、突起３７ａの高さが１０μm以上であれば問題ない。
【００５６】
一方、突起３７ａの高さが５０μmを超えると、突起３７ａの大きさ（導光板１０２の出射面１０２ｂに平行な面内での大きさまたは径等）を大きくする必要がある。したがって、突起３７ａの高さは、５０μm以下に設定されればよい。また、その高さが５０μmを超えると、対面するシートがたわむおそれがあり、荒れている面に追従し、結局干渉縞を生じるおそれもあるからである。
【００５７】
図１１は、本発明の他の実施の形態に係る導光板及び光学シート（例えば拡散シート）を示す図である。この実施の形態では、導光板１０２の出射面１０２ｂは、平坦に形成され、その出射面１０２ｂに対面する、拡散シート４７の下面４７ａは、非平坦に形成されている。拡散シート４７の下面４７ａについても、平均ピッチPと算術平均粗さＲａの比（P／Ra）は、上記と同様の趣旨により、０＜(P／Ra)＜１．０２×１０4等の範囲が設定される。
【００５８】
図１２は、本発明のさらに別の形態に係る導光板及び光学シート（例えば拡散シート）を示す図である。この実施の形態では、導光板２の出射面２ｂ及び拡散シート４７の下面４７ａの両方が、上記各実施の形態と同様の趣旨により非平坦に形成されている。
【００５９】
図１３は、本発明のさらに別の形態に係るプリズムシート及びその他の光学シート（例えば拡散シート）を示す図である。この実施の形態では、プリズムシート１８の上面に形成されたプリズム部（擬似的な平坦面）１８ｂに対面する、拡散シート４７の下面４７ａが、上記各実施の形態と同様の趣旨により非平坦に形成されている。
【００６０】
図１５は、さらに別の実施の形態に係る導光板及び光学シート（例えば拡散シート１７）を示す図である。本実施の形態に係る導光板２の出射面２ｂに対向する下面２ａには、所定の光学パターン（例えばプリズム形状、その他の凹凸形状）２ｄが形成されている。この光学パターン２ｄは、例えば、その下面２ａに平行な面で見て、ドット、直線、円、楕円、その他の曲線、またはこれらの組合せ等のパターンでなる。この光学パターン２ｄは、印刷、成型等の処理により形成される。
【００６１】
図１６は、図１５に示した導光板２及び拡散シート１７の比較例として挙げた、導光板及び拡散シートを示す図である。この例に係る導光板４２の下面４２ａにも、凹凸形状の光学パターン４２ｄが形成されている。導光板４２の上面４２ｂは平坦面である。例えば、光源ユニット５からの光が、導光板４２の側面（エッジ）４２ｃからその内部へ入るようなエッジライト方式のバックライトでは、導光板４２の下面４２ａにこのような光学パターン４２ｄが設けられる。
【００６２】
図１６において、導光板４２の側面４２ｃから入射された光は、導光板４２の中央部に向けて進み、光学パターン４２ｄがない場合は、すなわち、下面４２ａが平坦である場合、光は実質的に導光板２内で全反射するので、観察する側である上面には光が漏れてこない。すなわち、そのような光学パターン４２ｄがない導光板では、バックライトとしては役に立たない。そこで、導光板４２の下面４２ａに光学パターン４２ｄが設けられることで全反射条件を壊す。そうすると、反射シート８で漏れた光が反射させられ、光が上面４２ｂから出射させられる。
【００６３】
図１６に示すように、例えば、この光学パターンの密度が、導光板４２の側面（エッジ）４２ｃで濃い場合、側面４２ｃの陰極管７の近くでの漏れ光が多くなる。すなわち、陰極管７の近くで明るく、中央で暗くなる。そのため、図１６に示したように、両側から入射光がある場合、側面４２ｃに近い側の光学パターン４２ｄの密度は薄く、中央で濃くなるように光学パターン４２ｄが形成されることで、上面４２ｂからの光の漏れ量が、導光板４２全体で均一に設定される場合がある。すなわち、光の漏れ量と均一性をどのように設計したいかによって、光学パターン４２ｄが決められる場合がある。
【００６４】
ここで、図１５に示すように、各実施の形態に係る導光板２のように、その上面２ｂが非平坦に形成され、干渉縞の発生が抑えられた場合、この導光板２の上面２ｂの凹凸が光学パターン４２ｄの場合と同様に導光板２の全反射条件を壊し、光が出るようになる。そのため、仮に図１６に示したものと同じような光学パターン４２ｄが、図１５に示したような、上面２ｂに凹凸のある導光板２が採用されると、陰極管７に近い部分で思惑以上に光が上面２ｂから漏れ、陰極管７の近くが明るく、中央が暗くなってしまう。このような不都合をなくすためには、図１６に示した光学パターン４２ｄの密度に比べ、図１５に示したように光学パターン２ｄの密度が低く設定されていればよい。これにより、バックライト装置１０の光の均一性を保つことができる。
【００６５】
図１７は、本発明の他の実施の形態に係るバックライト装置を示す模式的な斜視図である。本実施の形態に係るバックライト装置５０と、図１に示したバックライト装置１０との主な違いは、導光板５２である。バックライト装置５０の導光板５２は、例えば光源ユニット５から遠ざかるにしたがって、その厚さが薄くなるように形成されている。光源ユニット５は、導光板５２の一側面５２ｃに搭載されている。このような、いわゆるウェッジ型（楔型）の導光板５２を搭載したバックライト装置５０であっても、上記各実施の形態に係る非平坦面を有する光学部材（導光板２及び／または光学シート３）が適用可能である。
【００６６】
図１８は、本発明の他の実施の形態に係るバックライト装置を示す模式的な斜視図である。本実施の形態に係るバックライト装置６０と、図１に示したバックライト装置１０との違いは、光源である。バックライト装置６０の光源として、例えばＬＥＤブロック２７が用いられている。この例では複数のＬＥＤブロック２７が、導光板２の側面２ｃに沿って配置されている。１つのＬＥＤブロック２７は、１つまたは複数のＬＥＤを含む。１つのＬＥＤブロック２７が発生する光の色は、白、赤、緑、青及びその他の色のうち、少なくとも１つである。ＬＥＤブロック２７の数は１つであってもよく、ＬＥＤブロック２７の輝度、導光板２（あるいは液晶パネル）の大きさ等により適宜変更可能である。
【００６７】
このように、光源としてＬＥＤブロック２７を搭載したバックライト装置６０であっても、上記各実施の形態に係る非平坦面を有する光学部材（導光板２及び／または光学シート３）が適用可能である。
【００６８】
バックライト装置６０の光源として、ＬＥＤ（分散型ＥＬ素子）の代わりに、真性ＥＬ素子が用いられてもよい。
【００６９】
以上、各実施の形態で説明したバックライト装置１０、５０、６０、導光板２及び光学シート３は、ディスプレイを備える様々な電子機器に適用可能である。図１９、図２０及び図２１に、電子機器の例を挙げた。図１９はディスプレイを示し、図２０はＴＶを示し、図２１はラップトップ型のＰＣを示している。
【００７０】
電子機器としては、図１９〜図２１に示した機器に限られず、ＰＤＡ（Personal Digital Assistance）、電子辞書、デジタルカメラ、オーディオ／ビジュアル機器、携帯電話、ロボット機器、その他の電化製品等が挙げられる。
【図面の簡単な説明】
【００７１】
【図１】本発明の一実施の形態に係るバックライト装置を示す模式的な分解斜視図である。
【図２】図１に示したバックライト装置及び光透過率制御パネルを備えたディスプレイを示す模式的な断面図である。
【図３】導光板、下拡散シート及びプリズムシートを示す拡大断面図である。
【図４】対面する面同士が平坦面である場合を示す、導光板及び光学シートの拡大図である。
【図５】（Ａ）は、導光板及び下拡散シートにより干渉縞が発生した状態を示す図である（Ｂ）は、その導光板及び下拡散シートが任意の点で接触した状態を示す図である。
【図６】その干渉縞の発生原理を説明するための模式図である。
【図７】図５（Ａ）で示した干渉縞が発生している導光板及び下拡散シートが組み込まれたバックライトが点灯した状態を示す図である。
【図８】表面粗さを持つ面が平坦面に接している様子を示す図である。
【図９】図８において、算術平均粗さRa及び平均ピッチPを用いて、上記式を幾何学的に説明するための図である。
【図１０】式（２）に基く、平均ピッチPと算術平均粗さＲａの比（P／Ra）に対する、干渉縞のピッチFの長さを示す表である。
【図１１】本発明の他の実施の形態に係る導光板及び光学シートを示す図である。
【図１２】本発明のさらに別の形態に係る導光板及び光学シートを示す図である。
【図１３】本発明のさらに別の形態に係るプリズムシート及びその他の光学シートを示す図である。
【図１４】平坦な出射面を有する導光板に対面する拡散シートの下面が、エンボス加工された形態を示す図である。
【図１５】本発明のさらに別の実施の形態に係る導光板及び光学シートを示す図である。
【図１６】図１５に示した導光板及び光学シートの比較例として挙げた、導光板及び光学シートを示す図である。
【図１７】本発明の他の実施の形態に係るバックライト装置を示す模式的な斜視図である。
【図１８】本発明の他の実施の形態に係るバックライト装置を示す模式的な斜視図である。
【図１９】電子機器の実施の形態として、ディスプレイを示す図である。
【図２０】電子機器の他の実施の形態として、ＴＶを示す図である。
【図２１】電子機器のさらに別の実施の形態として、ラップトップ型のＰＣを示す図である。
【符号の説明】
【００７２】
２、５２、１０２…導光板
２、１６〜１８…光学部材
２ｄ、４２ｄ…光学パターン
２ｃ…側面
３…光学シート
５…光源ユニット
６…導光ユニット
９…光透過率制御パネル（液晶パネル）
１０、５０、６０…バックライト装置
１６、１７、３７、４７…拡散シート
１８…プリズムシート
２８…突起
３７ａ…突起
【図１】
2009217949.tif 000003
【図２】
2009217949.tif 000004
【図３】
2009217949.tif 000005
【図４】
2009217949.tif 000006
【図６】
2009217949.tif 000007
【図８】
2009217949.tif 000008
【図９】
2009217949.tif 000009
【図１０】
2009217949.tif 000010
【図１１】
2009217949.tif 000011
【図１２】
2009217949.tif 000012
【図１３】
2009217949.tif 000013
【図１４】
2009217949.tif 000014
【図１５】
2009217949.tif 000015
【図１６】
2009217949.tif 000016
【図１７】
2009217949.tif 000017
【図１８】
2009217949.tif 000018
【図１９】
2009217949.tif 000019
【図２０】
2009217949.tif 000020
【図２１】
2009217949.tif 000021
【図５】
2009217949.tif 000022
【図７】
2009217949.tif 000023